(57)【要約】【課題】効率よく室内空気の臭気を減少させることができる空気清浄機を提供する。【解決手段】空気清浄機Ａは、床面上に置かれて使用され、通風路Ｒを内部に形成し、かつ底部に複数の車輪９０を備えた箱形状の筺体と、通風路Ｒに導入された空気が通過する脱臭エレメント６２と、制御手段４７と、を備え、筺体の上面部には、握り部９１ａを有するハンドル９１と、ハンドル９１より正面側位置にある操作部２６と、を具備し、脱臭エレメント６２は、アンモニア成分を捕集する触媒を含有し、制御手段４７は、通風路Ｒを通過する空気の量と流速が所定範囲内となるように送風手段４４の能力を制御するものであり、吸込口１１は、筺体の正面側の壁面に形成され、ハンドル９１を操作して使用者が筺体を移動させることにより、複数の車輪９０の回転により床面上を筺体が移動し、吸込口１１の位置が臭いの発生源と接近する任意の位置まで移動可能であることを特徴とする。【選択図】図１
2015147092.tif 000002
【特許請求の範囲】
【請求項１】
臭いの発生源のある空間の床面上に置かれて使用される空気清浄機であって、
吸込口と吹出口とを有した通風路を内部に形成し、かつ底部に前記床面上を走行する複数の車輪が設けられた箱形状の筺体と、
前記筺体の内部に設けられ前記吸込口から前記通風路に導入した室内の空気を、前記吹出口から吹き出す送風手段と、
前記通風路を遮るように設置され、前記通風路に導入された空気が通過する脱臭エレメントと、
前記送風手段を駆動する制御手段と、を備え、
前記筺体の上面部には、前記筺体を移動させる際の使用者の握り部を有するハンドルと、このハンドルより正面側位置にあって前記制御手段のための操作部と、を具備し、
前記脱臭エレメントは、前記通風路に導入された空気中のアンモニア成分を吸着することで、空気中からアンモニア成分を捕集する触媒を含有し、
前記制御手段は、前記通風路を通過する空気の量と空気の流速が所定範囲内となるように前記送風手段の能力を制御するものであり、
前記吸込口は、前記筺体の正面側の外殻を形成する垂直方向の壁面の上部から下部に亘る範囲に形成され、
前記ハンドルを操作して使用者が前記筺体を移動させることにより、前記複数の車輪の回転により前記床面上を前記筺体が自在に移動し、前記吸込口の位置が前記臭いの発生源と接近する任意の位置まで移動可能であることを特徴とする空気清浄機。
【請求項２】
前記通風路は、前記吸込口から前記送風手段に至るまでが水平方向に形成され、
前記脱臭エレメントは、前記吹出口の位置から見て前記通風路に導入された空気の流れの上流側にあることを特徴とする請求項１に記載の空気清浄機。
【請求項３】
前記筺体の内部には、前記脱臭エレメントを輻射熱で加熱する加熱手段を更に備え、
前記加熱手段は、前記制御手段が前記送風手段を駆動していない期間中、前記脱臭エレメントの所定部分を所定の時間以内に、前記脱臭エレメントのアンモニア成分の捕集力を回復可能な所定温度以上に加熱する能力を具備していることを特徴とする請求項１に記載の空気清浄機。
【請求項４】
前記加熱手段は、通電を開始されて発熱するものであって、前記脱臭エレメントの所定部分を、前記通電の開始時点から６０分以内に１２０度以上の温度に加熱できる能力を具備することを特徴とする請求項３に記載の空気清浄機。
【請求項５】
前記脱臭エレメントは、第１の側面から反対側にある第２の側面に向かって前記送風手段からの空気が通過するように構成され、
前記加熱手段は、前記制御手段によって通電が制御される発熱体と、この発熱体を包含した加熱空間とを有し、
前記加熱手段は、前記脱臭エレメントの前記第１の側面又は前記第２の側面の少なくとも何れか一方の側方に近接した位置にあって、当該脱臭エレメントと対向する側に前記加熱空間からの熱を放射する開口があることを特徴とする請求項３又は４に記載の空気清浄機。
【請求項６】
前記吹出口には、吹き出す空気の風向を変えるルーバーが設けられ、
前記制御手段は、前記加熱手段が前記脱臭エレメントを加熱している間、前記ルーバーにより前記吹出口を塞ぐ請求項３から５のいずれか１項に記載の空気清浄機。
【請求項７】
前記通風路は、前記吸込口から前記送風手段に至るまでが横向きの風路になっており、その横向きの風路の中心を通る水平線の位置が、床面上で、３０ｃｍから７０ｃｍの範囲にあることを特徴とする請求項１に記載の空気清浄機。
【請求項８】
前記通風路は、前記筺体の正面にある前記吸込口から前記送風手段に至るまでの下流側が横向きであり、前記送風手段から更に下流側で上方向に屈曲することで前記吹出口は前記筺体の天面から上方向を向いており、
前記脱臭エレメントは、前記通風路において前記吸込口から前記屈曲部位の間にあることを特徴とする請求項７に記載の空気清浄機。
【発明の詳細な説明】
【技術分野】
【０００１】
本発明は、送風装置により本体内部へと吸込んだ室内空気を、脱臭部に通すことで空気中の臭気成分を取り除き、室内空気の脱臭を行う空気清浄機に関する。
【背景技術】
【０００２】
従来から、本体ケースと、この本体ケースの前面に形成された空気吸込口と、本体ケースの上面後部に形成された空気吹出口と、本体ケース内に設けられ、空気吸込口から空気を吸い込んで空気吹出口へ吹き出すためのファンと、このファンを駆動するためのファンモータと、ファンの上流側に設けられ、吸い込まれた空気中の塵埃を捕集するための集塵フィルターとを備え、空気吹出口の近傍に、臭気成分を吸着するための吸着材の表面に触媒を添着してなる脱臭部と、この脱臭部の脱臭機能を回復するために加熱する加熱部を有する空気清浄機がある。
【０００３】
このような空気清浄機は、ファンを駆動することにより、空気吸込口から本体ケース内部に室内空気を取り込み、集塵フィルターにて塵埃を除去した後、消臭部に流下した室内空気中の臭気成分を、消臭部の吸着材に吸着させることにより、室内空気の脱臭を行う。
そして、臭気を吸着した脱臭部の吸着材が、加熱部により加熱されることで、臭気成分が除去される。その結果、吸着材の脱臭機能を回復させることができる（例えば、特許文献１）。
【先行技術文献】
【特許文献】
【０００４】
【特許文献１】特開２００１−３８１２６号公報（図１）
【発明の概要】
【発明が解決しようとする課題】
【０００５】
しかしながら、特許文献１に記載の空気清浄機は、本体ケースの上面後部に形成された空気吹出口の近傍に、臭気成分を吸着するための吸着材を有する脱臭部を設けることから、大変狭い限られた領域に脱臭部を配置する必要があり、より脱臭性能の高い脱臭容量の大きい臭気の吸着材を用いることが困難である。
従って、このような構造では、脱臭部に室内空気を通過させても、一度に大幅に臭気を除去することが困難であることから、人が室内空気の臭気が減少したと感じることができるようになるまで、長い時間の間、空気清浄機を運転する必要がある。
【０００６】
また、空気吹出口は空気吸込口より開口面積が大変小さいことから、空気吹出口及びこの空気吹出口の近傍に設けられた消臭部を流れる空気の流速は、空気吸込口付近を流れる空気の流速に比べて速くなる。
従って、このような構造では、消臭部を流れる室内空気に含まれた臭気を吸着材が十分に吸着しきれない状態で、空気清浄機から室内へと空気が排出されることになり、人が室内空気の臭気が減少したと感じることができるまで、長い時間の間、空気清浄機を運転する必要がある。
【０００７】
更に、吸着材を加熱することにより吸着材に吸着された臭気を除去する加熱部であるヒーターは、吸着材に対して固定して設けられているので、ヒーターと吸着材との距離が、近接した部分と離れた部分とが形成される。
これにより、ヒーターに近い吸着材の部位は、効率よく加熱することがでるので臭気を除去できるが、ヒーターから離れた吸着材の部位は、ヒーターからの熱が効率よく伝わらない恐れがあり、確実に臭気を除去しきれない可能性がある。
従って、このような構成では、吸着材の臭気を吸着する能力を十分に回復させることができないことから、空気清浄機の脱臭機能の低下を招く恐れがある。
【０００８】
本発明は、上記のような問題点を解決するためになされたものであり、効率よく室内空気の臭気を減少させることができ、また、効率よく臭気を吸着する吸着材の機能を回復することが可能な空気清浄機を提供することを目的とする。
【課題を解決するための手段】
【０００９】
本発明に係る空気清浄機は、臭いの発生源のある空間の床面上に置かれて使用される空気清浄機であって、吸込口と吹出口とを有した通風路を内部に形成し、かつ底部に床面上を走行する複数の車輪が設けられた箱形状の筺体と、筺体の内部に設けられ吸込口から通風路に導入した室内の空気を、吹出口から吹き出す送風手段と、通風路を遮るように設置され、通風路に導入された空気が通過する脱臭エレメントと、送風手段を駆動する制御手段と、を備え、筺体の上面部には、筺体を移動させる際の使用者の握り部を有するハンドルと、このハンドルより正面側位置にあって制御手段のための操作部と、を具備し、脱臭エレメントは、通風路に導入された空気中のアンモニア成分を吸着することで、空気中からアンモニア成分を捕集する触媒を含有し、制御手段は、通風路を通過する空気の量と空気の流速が所定範囲内となるように送風手段の能力を制御するものであり、吸込口は、筺体の正面側の外殻を形成する垂直方向の壁面の上部から下部に亘る範囲に形成され、ハンドルを操作して使用者が筺体を移動させることにより、複数の車輪の回転により床面上を筺体が自在に移動し、吸込口の位置が臭いの発生源と接近する任意の位置まで移動可能であることを特徴とするものである。
【発明の効果】
【００１０】
本発明によれば、より多くの室内空気を取り込み、効率よく室内空気の臭気を減少させることができる急速脱臭機能を有する空気清浄機を提供することが可能となる。
【図面の簡単な説明】
【００１１】
【図１】（ａ）実施の形態１に係る空気清浄機Ａの正面図、（ｂ）同空気清浄機Ａの上面図（ｃ）同空気清浄機Ａの側面図
【図２】図１に示す空気清浄機Ａの前パネル，プレフィルター，ＨＥＰＡフィルターが外れた状態を示す（ａ）正面図、（ｂ）上面図、（ｃ）側面図
【図３】図１に示す空気清浄機Ａの分解斜視図
【図４】図１に示す空気清浄機ＡのＹ−Ｙ縦断面図
【図５】（ａ）図１に示す空気清浄機Ａの前方から見た斜視図、（ｂ）図１に示す空気清浄機Ａの後方から見た斜視図
【図６】図５（ａ）に示す空気清浄機Ａの前パネル，プレフィルター，ＨＥＰＡフィルターが外れた状態を示す斜視図
【図７】（ａ）実施の形態１に係る空気清浄機Ａの脱臭部を前方から見た斜視図、（ｂ）脱臭部を後方から見た斜視図
【図８】図７（ｂ）に示す脱臭部の分解斜視図
【図９】（ａ）実施の形態１に係る空気清浄機Ａの加熱ユニットの裏面の平面図、（ｂ）加熱ユニットのＺ−Ｚ断面図
【図１０】（ａ）図９に示す加熱ユニットの裏面の斜視図、（ｂ）図９に示す加熱ユニットの表面の斜視図
【図１１】実施の形態２に係る空気清浄機Ａの脱臭部の後方より見た分解斜視図
【図１２】（ａ）実施の形態２に係る空気清浄機Ａの脱臭部を後方から見た平面図、（ｂ）（ａ）に示す脱臭部のＸ−Ｘ断面図
【図１３】（ａ）実施の形態３に係る空気清浄機Ａの前方から見た斜視図、（ｂ）同空気清浄機Ａの後方から見た斜視図
【図１４】図１３に示す空気清浄機Ａのルーバーが閉じた状態を示す後方から見た斜視図
【図１５】実施の形態４に係る空気清浄機Ａの（ａ）正面図、（ｂ）同空気清浄機Ａの上面図、（ｃ）同空気清浄機Ａの側面図
【図１６】（ａ）図１５に示す空気清浄機Ａの前方から見た斜視図、（ｂ）図１５に示す空気清浄機Ａの後方から見た斜視図
【図１７】図１５に示す空気清浄機の底面側から見た平面図
【図１８】６段階の臭気強度にアンモニアの臭気濃度を対応させた表
【図１９】空気清浄機の使用例（経過時間に対応した臭気の室内濃度と吹出し濃度を示す表）
【発明を実施するための形態】
【００１２】
（実施の形態１）
以下、図面を参照して本発明の実施の形態１について説明する。
図１〜図６を参照すると、本実施の形態に係る空気清浄機Ａは、外郭を成す筐体である本体ケースＣと、この本体ケースＣに設けられる脱臭部６０などの各種機能部品により構成されている。
この本体ケースＣは、樹脂により形成された箱形状を成しており、前パネル１０と前ケース２０と後ケース４０などの複数の部品により構成されている。
【００１３】
前ケース２０は、正面視形状が長方形で、所定の奥行き幅がある枠状のフレーム２１が基体となり構成されている。このフレーム２１の前面には、長方形の前開口２２が形成されており、後面の開口は仕切板２３により覆われている。
そして、この仕切板２３には、後方に向いて開口する円形の後開口２４が形成されている。つまり、前ケース２０は、前開口２２と後開口２４とが連通した状態となっている。  尚、仕切板２３の後開口２４は、後述する送風ファン４４のファン開口４４ｄの周囲にベルマウスを形成している。
【００１４】
次に、前ケース２０のフレーム２１の下辺は、左右の２辺より前方に全体的に突出することで、下突出部２５が形成されている。
また、フレーム２１の上辺は、左右の２辺より前方に突出することで、上突出部２８が形成されており、上辺の上部の前側には、複数の操作ボタンや表示部を形成するＬＥＤなどからなる操作部２６が設けられている。
そして、この操作部２６に対応して、フレーム２１の上辺の上部内側には、これらの操作ボタンやＬＥＤが実装されている操作基板（図示せず）が設けられている。尚、この操作基板は、後述する制御手段４７に電気的に接続されている。
【００１５】
次に、前パネル１０は、正面視形状が長方形で、前ケース２０の前開口２２を正面から覆うことが可能な形状に構成されている。
また、前パネル１０の前面に、左右方向に延びるスリットを形成することにより、前パネル１０の前後方向に連通する空気吸込口１１（以下、吸込口１１）が形成されている。つまり、前パネル１０は、前後方向に貫いて空気が流れることが可能なように、通気性が確保されている。
【００１６】
次に、後ケース４０は、正面視形状が長方形で、前面に前開口４１が開口し、上面に空気吹出口４２（以下、吹出口４２）となる開口が形成され、後面４３が閉鎖された箱型形状を成している。
そして、後面４３には、室内空気を空気清浄機内部に取り込むための送風手段である送風ファン４４と、この送風ファン４４から流下する空気を吹出口４２へと導く風路を形成するスワロール形状の仕切４５とが設けられている。
この送風手段である送風ファン４４は、制御手段４７に接続され、制御手段４７により回転・停止・回転数が制御されている。この様に送風ファン４４は、制御手段４７に制御されることで、風量や風速などの送風能力が制御されている。
【００１７】
また、仕切板４５の下側で、後ケース４０と仕切板４５とで形成された空間には、空気清浄機Ａの各部を所定のプログラムに基づき制御する制御手段４７が設けられている。
更に、後ケース４０の内側の上部であって、吹出口４２の近傍には、吹出口４２から室内に向けて吹き出す空気の風向を変えたり、吹出口４２を閉じたりするルーバー４６が設けられている。
尚、吹出口４２の開口部分には、ルーバー４６を直接触れられないように、格子が取付けられている。
【００１８】
次に、送風ファン４４は、回転方向に対して、所定の幅を有する多数の羽が取付けられた多翼の羽を用いた多翼式ファン（シロッコファン）を用いている。つまり、送風ファン４４は、回転軸から所定の半径の位置に、多数の羽４４ａを有している。
そして、送風ファン４４は、後ケース４０の後面４３に取付けられている。送風ファン４４が取付けられた状態において、送風ファン４４の羽４４ａを回転駆動させるモーター４４ｂは、その回転軸４４ｃの向きが、前方を向き、水平方向に伸びた状態となっている。
【００１９】
また、周囲を羽４４ａに囲まれたファン開口４４ｄは、前方に向けて開口している。
このように送風ファン４４を後ケース４０に取付けることで、送風ファン４４は、回転軸４４ｃの軸方向の前方を向くファン開口４４ｄから空気を吸込み、送風ファン４４の上方を含む、送風ファン４４の径方向に空気を吐き出す。
【００２０】
次に、仕切板４５は、送風ファン４４の周囲を囲むように、後ケース４０の後面４３から略垂直に立設しており、一端を吹出口４２の右端４２ａ、他端を吹出口４２の左端４２ｂへと接続している。
つまり仕切板４５は、送風ファン４４の周囲を囲み、端部が空気吹出口４２と接続するように袋状となるように後ケース４０に配置されている。
【００２１】
ルーバー４６は、複数の板状の風向板４６ａと、この複数の風向板４６ａをそれぞれ繋いで風向板４６ａを所定の角度に動かすリンク機構４６ｃと、このリンク機構４６ｃを動かすモーターなどの駆動部（図示せず）から構成されている。
そして、ルーバー４６は、複数の板状の風向板４６ａが、空気吹出口４２の開口に所定の間隔を空けて、それぞれ平行となるように並んで配置されており、それぞれの風向板４６ａは、この風向板４６ａの両端に形成された軸４６ｄで、吹出口４２に軸支されている。
【００２２】
尚、リンク機構４６ｃを動かす駆動部は、後述する制御手段４７に接続されており、空気清浄機Ａの状態に応じて、所定のプログラムで駆動されるものであり、これにより、ルーバー４６の向きが変更される。
【００２３】
次に、図７〜図８を参照すると、脱臭部６０は、空気清浄機Ａの内部に取り込んだ室内空気を通過させることにより、空気内部から臭気を取り除く部位であり、各種部品が設けられる基体となる枠体６１と、脱臭エレメント６２と、この脱臭エレメント６２を局部的に加熱する加熱ユニット６３と、脱臭エレメント６２を動かして加熱ユニット６３と脱臭エレメントの対向する部位の相対的位置関係を変更する位置変更手段である駆動手段６４と、を有する。
【００２４】
まず、枠体６１は、正面視形状が長方形で、所定の奥行き幅がある枠状のフレームである。そして、枠体６１の外形は、前ケース２０の前開口２２の内部に嵌め込むことができる大きさである。
また、枠体６１の内部には、枠体６１の開口を遮るように（開口を前後に仕切るように）中仕切板６５が設けられている。
【００２５】
そして、中仕切板６５には、枠体６１の前後に連通する円形状の開口６５ａが形成されている。この開口６５ａの中心には、中央支持体６５ｂが位置し、この中央支持体６５ｂから放射状に開口６５ａの開口縁と繋がる梁部６５ｃが複数形成されている。また、中央支持体６５ｂには、後方に突出する軸６５ｊが設けられている。
また、開口６５ａの前側には、開口６５ａ内に空気が流入可能な枠６５ｈが設けられている。この枠６５ｈは、後述する脱臭エレメント６２に使用者が直接触れることを防止するためのものである。
【００２６】
更に、中仕切板６５の裏面（後面）には、開口６５ａを囲むように後方に向けて立設したリング状のガイド部６５ｅが形成されている。
このガイド部６５ｅの縁には、開口６５ａの内方に突出するように、後述する脱臭エレメント６２をこのガイド部６５ｅに取付けた際に、脱臭エレメント６２を受ける受部６５ｆが設けられている。
【００２７】
尚、ガイド部６５ｅは、円形状の開口６５ａの円形の開口縁の外側に位置している。つまり、開口６５ａの縁とガイド部６５ｅとの間には、隙間ｒが形成される。また、ガイド部６５ｅが形成するリングの直径は、後述する各部が設けられた脱臭エレメント６２を内部に保持可能な程度の大きさである。
【００２８】
そして、中仕切板６５の開口６５ａの中央支持体６５ｂの下方の領域であって、中央支持体６５ｂを中心に、左右に等しく広がる所定の開角により形成される扇形の領域は、扇形状の蓋体６５ｄにより覆われている。
尚、この蓋体６５ｄはステンレスにより形成されており、中仕切板６５の後面側（裏面側）から、梁部６５ｃにネジなどにより固定される。
【００２９】
また、蓋体６５ｄは、後述する加熱ユニット６３と対向して位置するように配置され、加熱ユニット６３のヒーターユニット６３ａと対向した状態において、ヒーターユニット６３ａを覆うことが可能な大きさとなっている。つまり、加熱ユニット６３と蓋体６５ｄとが対向することで、後述する脱臭エレメント６２の加熱空間を形成している。
尚、蓋体６５ｄには、熱放射率を向上させるための黒色の耐熱塗装が施されている。
【００３０】
次に、脱臭エレメント６２は、平面形状が円板形状であり、セラミック又はアルミニウムにより形成され、蜂の巣の開口のような複数の開口が形成されたハニカムコア形状の基材に、バインダーで触媒が塗布又は含浸されたものである。
この触媒は、マンガン系（例えば、神鋼アクテック株式会社製のマンガン系脱臭用触媒）や白金系を用いたものなど、臭気（特に、アンモニアやメチルメルカプタンや硫化水素の臭気）を吸着する性質を有する触媒を用いる。
このような触媒は、臭気成分を吸着すことにより、触媒の作用による酸化分解が生じ、臭気成分を臭いがしない成分へと分解する。特にこのような触媒は、加熱することにより臭気成分の分解スピードが早くなる特性がある。
【００３１】
また、脱臭エレメント６２の中心部には開口部６２ｃが形成され、前面には、脱臭エレメント６２を保持するステンレスにより形成されたエレメントフレーム６２ａが設けられている。
ここで、上記のように様に脱臭エレメント６２は、ハニカムコアにより形成され、前面に設けられたエレメントフレーム６２ａには所定の開口が形成されているので、脱臭エレメント６２の内部を前後方向に貫いて空気が流れることができる。
【００３２】
更に、脱臭エレメント６２の周縁には、脱臭エレメント６２を囲むように、ギア部６２ｂが設けられている。
このギア部６２ｂを含む脱臭エレメント６２の直径は、中仕切板６５に形成された円形状の開口６５ａの直径より大きくなるように構成されている。
【００３３】
次に、図９〜図１０を参照すると、加熱ユニット６３は、脱臭エレメント６２を加熱する加熱手段であるヒーターユニット６３ａと、このヒーターユニット６３ａを内部に収納する所定の内部空間を有するケース６３ｂと、から構成されている。
このヒーターユニット６３ａは、制御手段４７に電気的に接続されており、空気清浄機Ａの状態に応じて通電制御されるものである。
【００３４】
また、ヒーターユニット６３ａは、板状の発熱部６３ｆと、この発熱部６３ｆを熱するヒーター部６３ｇとから構成されている。更に、発熱部６３ｆの平面形状は扇形状を成しており、表面にはヒーター部６３ｇから受けた熱の放射率を向上させるための耐熱塗装（黒色）が施されている。
つまり、ヒーターユニット６３ａは、ヒーター部６３ｇで生じた熱を板状の発熱部６３ｆが受け、板面全体から熱を放射することにより、対向する脱臭エレメント６２をムラが少なく加熱する。
【００３５】
そして、ヒーターユニット６３ａは所定の時間通電された場合、ヒーターユニット６３ａから所定の隙間を介在して配置された脱臭エレメント６２に対向した部位を、脱臭エレメント６２に吸着した臭気を除去可能な所定の温度まで上昇させることができる加熱能力に設定してある。このように、脱臭エレメント６２を加熱することで、臭気を捕集する能力が回復する。
【００３６】
尚、臭気の捕集能力を回復させる為に行う加熱は、脱臭エレメント６２の被加熱部位の温度が、脱臭エレメント６２が捕集した臭気成分を分解することが可能な約１２０度以上になるように行う。また、この加熱温度には、約６０分以内に達するように加熱ユニット６３が構成されている。
このように、臭気の捕集能力回復の為の加熱工程を、６０分以内に行うことができるので、使用者は空気清浄機Ａを用いた作業の合間などに、脱臭エレメント６２の臭気の捕集能力の回復工程を行うことができる。
【００３７】
また、ヒーター部６３ｇには、チタン酸バリウムを主成分とする半導体セラミックであるＰＴＣヒーターを用いている。
このＰＴＣヒーターは、自己温度制御性があり、外部からの温度制御を必要としないことから、サーモスタットのように断続的制御を行わないので、火花やノイズが発生せず、安定して使用することができる。
【００３８】
次に、ケース６３ｂには、ヒーターユニット６３ａを内部に保持する凹部６３ｃと、この凹部６３ｃの開口周縁から広がるフランジ部６３ｄとが形成されている。
凹部６３ｃは、ヒーターユニット６３ａの平面形状と一致した扇形状を成しており、内部にヒーターユニット６３ａを凹部６３ｃの開口に臨ませた状態でヒーターユニット６３ａが設けられている。フランジ部６３ｄには、加熱ユニット６３を所定の位置に取り付ける際に螺子を貫通させるための螺子穴６３ｅが形成されている。
以上のように構成される加熱ユニット６３は、平面形状がヒーターユニット６３ａの発熱部６３ｆの形状に合わせて、扇形状に構成されており、凹部６３ｃの開口も扇形状に構成されている。
【００３９】
次に、図７を参照すると、駆動手段６４は、脱臭エレメント６２を動かして加熱ユニット６３と脱臭エレメント６２の対向する部位の相対的位置関係を変更する、つまり、加熱ユニット６３と対向する脱臭エレメント６２の部位を変更する位置変更手段である。
駆動手段６４は、モーター６４ａと、このモーター６４ａを保持するブラケット６４ｂからなる。モーター６４ａの回転軸には、ギアが取付けられている。また、モーター６４ａは、制御手段４７に電気的に接続されており、空気清浄機Ａの状態に応じて通電制御されるものである。
【００４０】
図４及び図７〜図８を参照すると、以上の脱臭エレメント６２と加熱ユニット６３と駆動手段６４は、次のように枠体６１に取付けられることにより、脱臭部６０を構成する。尚、図７とは、各部をわかりやすく表示するために、枠６５ｈを外した状態で示してある。
まず、枠体６１の裏面より、中央支持体６５ｂに設けられた軸６５ｊに、脱臭エレメント６２の開口部６２ｃが軸受となって回転自在に嵌り込む。
【００４１】
これにより、脱臭エレメント６２は、枠体６１の裏面（後面）に形成されているガイド部６５ｅの内部に、脱臭エレメント６２が開口６５ａに臨んだ状態（対面した状態）で、枠体６１に対して回転自在に配置される。
そして、ガイド部６５ｅの縁には、開口６５ａの内方に突出するようにして、受部６５ｆが形成されている。受部６５ｆは、脱臭エレメント６２を受ける受部であり、脱臭エレメント６２の回転方向の動きを大きく阻害しない程度に、脱臭エレメント６２を、後方（裏面）よりガイド部６５ｅに保持する。
【００４２】
このように、脱臭エレメント６２が枠体６１に取付けられることで、脱臭エレメント６２は、中仕切板６５の開口６５ａに臨んだ状態で、中仕切板６５の裏面（隙間ｒ）と、ガイド部６５ｅと、受部６５ｆとに囲まれた空間の内部に回転自在に保持される。
尚、中央支持体６５ｂに設けた軸６５ｊと脱臭エレメント６２の開口部６２ｃを、上記のように軸と軸受の関係となるように構成しなくても、脱臭エレメント６２をガイド部６５ｅにより保持する構造でもよい。
【００４３】
次に、上記のように枠体６１に脱臭エレメント６２が配置された状態で、脱臭エレメント６２の一部を覆うように、枠体６１に加熱ユニット６３が次のように取付けられる。
まず、加熱ユニット６３は、脱臭エレメント６２の中心から下側の部位を跨いで脱臭エレメント６２の回転を妨げないように配置される。
この状態において、加熱ユニット６３のヒーターユニット６３ａが脱臭エレメント６２に直接近接して対向するように、ヒーターユニット６３ａが設けられた凹部６３ｃの開口が前方を向いている。
【００４４】
そして、加熱ユニット６３は、脱臭エレメント６２の開口部６２ｃに位置する中央支持体６５ｂと、脱臭エレメント６２の外側に位置する中仕切板６５に形成された取付け位置に螺子止めされる。
尚、この状態において、加熱ユニット６３と蓋体６５ｄは、脱臭エレメント６２を介して向かい合う位置関係となっている。
【００４５】
以上のように構成することにより、加熱ユニット６３は、脱臭エレメント６２の回転方向の動きを阻害することなく、枠体６１に固定される。
また、加熱ユニット６３と蓋体６５ｄとが向かい合って枠体６１に配置されるので、加熱ユニット６３と蓋体６５ｄの間に脱臭エレメント６２を介在させた状態で、ヒーターユニット６３ａの熱を留める空間が形成される。更に、発熱部６３ｆは、熱の放射率を向上させる塗装が施されているので、ヒーター６３ｇから受けた熱を効率よく放射する。
これにより、加熱ユニット６３は、対向する脱臭エレメント６２の部位を局所的に効率よく加熱することができるように構成されている。
【００４６】
次に、駆動手段６４は、モーター６４ａがブラケットに６４ｂに保持された状態で、ブラケット６４ｂが中仕切板６５に固定される。この時、モーター６４ａの回転軸に取付けられたギアは、脱臭エレメント６２に設けられたギア部６２ｂと歯合している。
また、駆動手段６４の配置位置は、中仕切板６５の裏面であって、開口６５ａと中仕切板６５の角６５ｇとに挟まれた部位である。更に、この駆動手段６４を設ける部位は、４つある角６５ｇの内、加熱ユニット６３から離れた上方に位置する角６５ｇと開口６５ａにより挟まれた部位であるとよい。
【００４７】
このように駆動手段６４を設けることにより、制御手段４７による通電制御でモーター６４ａが駆動されることで、枠体６１に対して脱臭エレメント６２を回転させることが可能となり、脱臭エレメント６２の加熱ユニット６３と対向する部位を変更可能となる。
つまり、加熱ユニット６３と脱臭エレメント６２の相対的位置関係を変更可能とすることができる。
また、開口６５ａと角６５ｇとに挟まれた位置に駆動手段６４を設けたので、長方形の中仕切板６５に形成された開口６５ａの周囲のデットスペースを有効に利用できる。更に、加熱ユニット６３から離れた位置に駆動手段６４を設けたので、加熱ユニット６３から生じる熱の影響を駆動手段６４が受けにくい構造とすることができる。
【００４８】
次に、以上のように各部が構成された前パネル１０と前ケース２０と後ケース４０と脱臭部６０とは、次のように他の機能部品と共に組み立てられることで、空気清浄機Ａを構成する。
まず、後ケース４０は開口４１を前方に向けて、前ケース２０の後面に取付けられる。この時、後ケース４０に設けられた送風ファン４４の開口４４ｄは、前ケース２０に設けられた仕切板２３に形成された後開口２４と、対向した位置関係となっている。また、後開口２４の開口中心は、送風ファン４４の回転軸の軸心と、前後に一致している。
【００４９】
次に、脱臭部６０は、枠体６１が前ケース２０の前開口２２から前ケース２０の内部に挿入されて、枠体６１の外周が前ケース２０の内部に保持されることにより、前ケース２０に取付けられる。
このように脱臭部６０が前ケース２０に取付けられた状態において、脱臭部６０の後面側（加熱ユニット６３が取付けられている位置側）が、前ケース２０の後開口２４を向くように配置され、脱臭エレメント６２と後開口２４の間に、加熱ユニット６３が位置することになる。
【００５０】
ここで、脱臭エレメント６２と、送風ファン４４の開口４４ｄの周囲にベルマウスを形成する前ケース２０の仕切板２３及び後開口２４とは、脱臭エレメント６２から後開口２４へと流れ空気の流れを妨げないために、所定の間隔Ｄを空けて対向している。
加熱ユニット６３は、このようにして形成された間隔Ｄの部位に位置している。
【００５１】
次に、前ケース２０に取付けられた脱臭部６０の枠体６１の内方には、枠体６１の開口と同程度の大きさであるＨＥＰＡフィルター１２が設けられ、このＨＥＰＡフィルター１２の前面を覆うようにプレフィルター１３が設けられる。
そして、プレフィルター１３の前面側に、前ケース２０の上突出部２８と下突出部２５とに挟まれて、前パネル１０が設けられることで、空気清浄機Ａが構成される。
【００５２】
尚、ＨＥＰＡフィルター１２は、空気中に含まれる花粉、ダニの糞、カビの胞子、ハウスダストなどの微細な塵埃を取り除くためのフィルターである。
また、プレフィルター１３は、ＨＥＰＡフィルターで空気をろ過する前に、あらかじめ空気に含まれる大きな塵埃を取っておく目の粗いフィルターであり、ＨＥＰＡフィルターの効果を長期間保つ為のものである。
【００５３】
次に、図４を参照すると、以上のように構成された空気清浄機Ａの内部には、吸込口１１から吹出口４２にかけて、室内空気を取り込み、取り込んだ空気の清浄および脱臭を行い、室内へ放出する通風路Ｒが形成される。この風路Ｒについて、空気清浄機Ａの空気清浄運転状態と、内部に取り込まれた空気の流れに沿って説明する。
まず、使用者が操作部２６を操作することで、制御手段４７に対して入力を行うことにより、空気清浄機Ａの運転を行う所定のプログラムが実行される。
【００５４】
上記の運転開始後、送風ファン４４が駆動し、空気吸込口１１から空気清浄機Ａの内部に室内空気を取り込む吸込み力が生じ、室内空気が吸込口１１へ流入する。
吸込口１１から取り込まれた空気は、空気清浄機Ａの内部を後方へと流れ、プレフィルター１３で大きな塵埃を取り除いた後、ＨＥＰＡフィルター１２で微細な塵埃を取り除く。
【００５５】
次に、塵埃が取り除かれた空気は、更に後方へと流れて脱臭部６０へ到達し、開口６５ａを通過して、この開口６５ａに臨む位置に配置された脱臭エレメント６２に至る。この脱臭エレメント６２は、通風路Ｒを遮るように設けられ、表面から裏面に至るハニカム形状の多数の開口が形成されており、表面に臭気を吸着する触媒が塗布されている。
【００５６】
従って、臭気を含んだ空気が、脱臭エレメント６２の表側から裏側へと通過する際に、ハニカム形状の開口を通過し、脱臭エレメント６２に塗布された触媒が、空気に含まれる臭気を吸着することにより、空気から臭気が取り除かれる。
尚、「空気から臭気が取り除かれる」とは、空気から完全に臭気が無くなる状態のみならず、空気の脱臭エレメント６２を通過する前の状態から臭気が減少した状態も含む。
ここで、上記のように空気清浄機Ａを運転し続けることにより、脱臭エレメント６２には、吸着した臭気が蓄積されていくことになり、吸着した臭気が増えるに従って、脱臭エレメント６２の脱臭能力が低下していく。
【００５７】
次に、塵埃と臭気が取り除かれた空気は、脱臭エレメント６２から更に後方に流れ、前ケース２０の仕切板２３に開口する後開口２４を通過して、この後開口２４に対向して配置されている送風ファン４４へと流れる。
送風ファン４４へと流れる空気は、送風ファン４４の軸方向前方から周囲を羽４４ａに囲まれたファン開口４４ｄの内部へと流下し、送風ファン４４の上方を含む送風ファン４４の径方向へと送風ファン４４の外部に吐き出される。
【００５８】
送風ファン４４から吐き出された空気は、後ケース４０に仕切板４５により導かれ、ルーバー４６を通過する際に風向が整えられ、吹出口４２から空気清浄機Ａの上方向に向けて、空気清浄機Ａの内部から清浄空気として吹き出す。
このように通風路Ｒは、吸込口１１から水平方向に空気清浄機本体の後部へと繋がり、この後部で上方へと向きを変えて吹出口４２へと至る風路である。
【００５９】
つまり、通風路Ｒは、空気の流れを基準に見ると、脱臭エレメント６２の上流側に、プレフィルター１３やＨＥＰＡフィルター１２などの塵埃濾過フィルターが配置され、脱臭エレメント６２の下流側で、空気の流れの向きを上方に屈曲して変える位置である屈曲部が形成されている。この屈曲部に送風ファン４４であるシロッコファンが位置している。  このシロッコファンは、ファンの回転軸方向から空気を取り込み、ファンの径方向へと取り込んだ空気を吐き出すので、室内空気を本体ケースＣの前面から後方への直線的な流れを作り出すと共に、吹出口４２に向けて効率よく風の向きを変えることができる。
【００６０】
尚、脱臭エレメント６２，プレフィルター１３，ＨＥＰＡフィルター１２，送風ファン４４の開口４４ｄの前面は、通風路Ｒを流れる空気の向きに対して、垂直な向きに配置されている。
これにより、脱臭エレメントまで空気の流れがまっすぐで、各フィルター面に垂直に空気が当たるので空気の流れがよい構成となっている。
【００６１】
ここで、開口６５ａの位置は、本体ケースＣの正面の上下方向の中央に位置し、本体ケースＣの正面視における投影面積Ｘと、開口６５ａの正面視における面積Ｙとの関係が、
Ｙ≧０．６Ｘ
となるように構成されている。
【００６２】
次に、以上のように、空気清浄運転（脱臭運転）したことにより、多くの臭気を吸着して脱臭性能が低下した脱臭エレメント６２の脱臭性能を回復させるための動作（再生動作）について説明する。
制御手段４７は、所定のタイミング、例えば、運転開始又は前回行った脱臭エレメント６２の脱臭性能回復動作からの累積運転時間が所定の時間を超えた場合、次のように脱臭性能回復動作を行う。
【００６３】
送風ファン４４が停止している状態、つまり、空気清浄機Ａが空気清浄運転を終えた後、又は、空気清浄運転を行っていない状態において、制御手段４７はヒーターユニット６３ａに対して通電を行うことで、ヒーターユニット６３ａを発熱させ、ヒーターユニット６３ａと対向している脱臭エレメント６２の部位を所定の温度まで上昇させて、所定の時間加熱する。
この脱臭エレメント６２の加熱温度及び加熱時間は、脱臭エレメント６２に吸着した臭気を除去させるのに十分な温度と時間である。
【００６４】
尚、脱臭エレメント６２の加熱される部位は、前面側が熱の放射率を向上させる塗装が施されている蓋体６３ｄに覆われ、後面側が加熱ユニット６３（ヒーターユニット６３ａ）に覆われる。従って、ヒーターユニット６３ａから生ずる熱と、蓋体６３ｄから放射される熱により、効率よく脱臭エレメント６２を加熱することができる。
また、脱臭エレメント６２は、ヒーターユニット６３ａと蓋体６３ｄとに挟まれて位置しているので、これら部材から放射される熱が、脱臭エレメント６２の近傍に留まりやすく、より効率よく脱臭エレメント６２を加熱することができる。
【００６５】
次に、上記のように、加熱ユニット６３と対向する部位の脱臭性能回復動作が終了すると、制御手段４７は脱臭エレメント６２を回動させる駆動手段６４を動作させて、脱臭エレメント６２を所定の角度だけ回転させる。
この動作により、加熱ユニット６３と対向していた脱臭エレメント６２の加熱処理が終了した部位が、加熱ユニット６３に対して回転方向にずれる。
これにより、加熱処理が完了している脱臭エレメント６２の部位が、加熱ユニット６３と蓋体６３ｄに挟まれた位置から外れると共に、新たに臭気を多く吸着した脱臭エレメント６２の部位が、加熱ユニット６３と蓋体６３ｄとに挟まれた部位に位置することとなる。
【００６６】
尚、脱臭エレメント６２を回転させる角度は、扇形状であるヒーターユニット６３ａの開角と同じか、又は、この開角より小さい角度がよい。このように回転角度を設定することで、脱臭エレメント６２が１周回転する内に、脱臭エレメント６２のいずれの部位も、必ずヒーターユニット６３ａの前に留まり加熱処理されることになる。
また、脱臭エレメント６２を動かすタイミングは、加熱処理の後、直ぐに行ってもよく、また、次に行う空気清浄運転の直前に行ってもよい。
【００６７】
以上のように空気清浄機Ａの各部を構成することにより、次のような効果を得ることができる。
本実施の形態のように、脱臭エレメント６２と、この脱臭エレメント６２とを局部的に加熱する加熱ユニット６３との相対的位置関係を変更可能に構成することにより、加熱ユニット６３を小型化することができる。
この加熱ユニット６３の小型化のメリットは、例えば、脱臭エレメント６２の全域を確実に加熱処理できるように、脱臭エレメント６２の全域に対面するような、大型のヒーターを配置する必要がなく、構造の簡略化やコスト低減を可能とする。
【００６８】
また、加熱ユニット６３と脱臭エレメント６２との相対的位置関係を変更可能であるので、脱臭エレメント６２の全域を脱臭するにあたり、脱臭エレメント６２と加熱ユニット６３の対向する部位を変更すればよく、加熱ユニット６３は脱臭エレメント６２の全域を覆う必要がない。
つまり、常に脱臭エレメント６２が加熱ユニット６３と対向する部位は、限られた部分で済むことから、加熱ユニット６３による、脱臭エレメント６２を流れる空気の流れの妨げが、最小限ですむ。これにより、脱臭エレメント６２に対して、より多くの空気を流すことが可能であり、より多くの臭気を一度に空気中から取り除くことができる。
【００６９】
更に、脱臭エレメント６２と加熱ユニット６３との相対的位置関係を変更できるので、脱臭エレメント６２の各部位に対して、確実に加熱ユニット６３を対向させて加熱することが可能である。
これにより、脱臭エレメント６２の各部位間の加熱ムラを少なくでき、脱臭エレメント６２の脱臭能力を効率よく回復することが可能である。
【００７０】
次に、空気清浄機Ａの吸込口１１は本体の前面に形成され、吹出口４２は本体の側面、天面、又は背面のいずれかに形成されている。
このように構成することにより、臭気の発生源に対して、大きく開口する吸込口１１を対向させやすいので、より速く臭気を吸込み、室内空気から臭気を除去することができる。
また、吹出口４２が本体の側面、天面、又は背面のいずれかに形成されるので、臭気の発生源に清浄された空気が流れ難く、臭気の拡散を防止することができる。
【００７１】
次に、脱臭エレメント６２は、本体ケースＣに回動可能に支持され、加熱ユニット６３は、脱臭エレメント６２の表面に近接して本体ケースＣに固定されている。
これにより、ヒーターユニット６３ａ発熱する部位である加熱ユニット６３が本体ケースＣの内部を動かないことから、発熱させるための電源を供給する配線の取り回しや高温の部位が本体ケースＣの内部で位置を変えることによる本体ケースＣ内部の広範囲にわたる熱対策を考慮する必要がない。
また、脱臭エレメント６２が回動することで、加熱ユニット６３と対向する面を変えるので、１つの方向にだけ脱臭エレメント６２を動かすだけで、ムラ無く脱臭エレメント６２の全面を加熱ユニット６３に対向させることができる。
【００７２】
次に、脱臭エレメント６２の形状は円板形状であるので、脱臭エレメント６２の回転軸方向から見た面積に対して、脱臭エレメント６２が回転する回転領域を最小にすることができる。
つまり、本体ケースＣの内部の脱臭エレメント６２の配置領域を小さくすることができる。
【００７３】
また、脱臭エレメント６２は回転することで加熱ユニット６３と対向する面を変えることから、脱臭エレメント６２の形状が円板形状であれば、加熱ユニット６３のヒーターユニット６３ａは、脱臭エレメント６２の直径方向の大きさが、少なくとも脱臭エレメント６２の回転半径と同じか、これより小さいもので、脱臭エレメント６２の多くの領域を加熱することが可能である。
【００７４】
更に、脱臭エレメント６２の形状が円板形状であるので、上記の効果を実現する構成を有しながらも、円形状は矩形の開口である本体ケースＣの開口面積に対して、最も大きな領域を形成することが可能であることから、脱臭を可能とする領域をより大きく形成することができる。
これにより、より多くの空気が脱臭エレメント６２を通って流れることができるので、脱臭力を維持しながら風量を大きくすることができる。
【００７５】
次に、脱臭エレメント６２には、アンモニアの分解機能がある触媒を表面に塗布又は含浸させている。これにより、ペット臭や病院や介護施設や介護現場などにおける介護臭をすばやく脱臭することが可能な空気清浄機を構成することが可能となる。
特に本実施の形態であれば、短時間の間に、より多くの空気から臭気を取り除くことができるので、病院や介護施設など多くの人が利用する場所における介護などの臭いのトラブルを迅速に解決することが可能である。
【００７６】
次に、送風手段である送風ファン４４は通風路内部に位置し、脱臭エレメント６２は、通風路Ｒの中で送風ファン４４の上流側に位置し、送風ファン４４と脱臭エレメント６２の間に、加熱ユニット６３が位置している。
このように構成されているので、脱臭エレメント６２と送風ファン４４の開口４４ｄの周囲で生じる圧損（空気の流れの損失）を低減するために設けられたスペースを、加熱ユニット６３の配置位置として用いることができる。
【００７７】
次に、加熱ユニット６３は、脱臭エレメント６２に対向する側が開口し、所定の内部空間を有するケース６３ｂと、このケース６３ｂ内部空間に位置し開口を通じて熱を放射する電気ヒーターユニット６３ａとを備え、ヒーターユニット６３ａは、所定時間通電された場合、脱臭エレメント６２の対向した部分を所定の時間（例えば、３０分）以内に所定温度（例えば、１５０度）まで上昇させることができる加熱能力に設定してある。これにより、脱臭エレメント６２に吸着した臭気を除去することが可能である。
また、上記のケース６３ｂの形状は扇形となっている。これにより、脱臭エレメント６２を覆う面積を必要最小限とすることができる。尚、扇形の開角は、脱臭エレメント６２を回転させる際の１回の回転角度を目安に構成されている。
【００７８】
次に、制御手段４７には、位置変更手段である駆動手段６４を所定のタイミングで駆動して、脱臭エレメント６２を回動させる制御プログラムを内蔵している。
これにより、脱臭エレメント６２を加熱する際に、制御手段４７により自動的に脱臭エレメント６２を回動させて脱臭すべき部位を加熱ユニット６３に対向することができる。  つまり、加熱手段である加熱ユニット６３は、制御手段４７によって脱臭エレメント６２を加熱する場合、脱臭エレメント６２の所定の領域と対面した状態で、所定時間通電することにより、脱臭エレメント６２に吸着した臭気を除去して、脱臭エレメント６２の局部的な臭気の捕集力を回復させる。
【００７９】
また、上記の制御プログラムは、駆動手段６４を所定のタイミングで駆動して脱臭エレメントを所定の回転角度だけ回動した後停止させ、その停止状態で加熱ユニットを所定時間通電する処理ステップを有する。
これにより、脱臭エレメント６２の回転から加熱に至る一連の動作を制御手段４７により自動的に行うことができる。
【００８０】
尚、上記の脱臭エレメント６２に吸着した臭気を除去する制御は、送風手段である送風ファン４４の累積運転時間又は累積運転回数が所定の値を超えた場合、送風ファン４４の運転が停止した後に実行されるものである。
つまり、制御手段４７は、空気清浄機Ａの使用頻度に応じて、この動作を繰返し行い、脱臭エレメント６２と加熱ユニット６３との相対的位置関係を所定の方向に順次変化させる。
これにより、脱臭エレメント６２の全体の臭気の捕集力を維持することができる。
【００８１】
次に、通風路Ｒには、脱臭エレメント６２より上流側に塵埃濾過フィルター１２，１３が設置されており、本体ケースＣの前面には、通気性を有する枠体である前パネル１０が着脱可能に取り付けられ、この枠体を本体ケースＣから取り外した状態で、塵埃濾過フィルターを本体ケースＣ前方に取り出すことが可能な構成である。
このように構成することにより、本体ケースＣの前側から塵埃濾過フィルターを着脱することができるので、大きめな塵埃が付着しやすい塵埃濾過フィルターのメンテナンス性を向上することができる。
【００８２】
次に、通風路Ｒは、脱臭エレメント６２の下流側で上方に屈曲していると共に、この屈曲部に送風ファン４４を配置し、この送風ファン４４は、水平方向に伸びる回転軸を中心に回転し、本体ケースＣの正面側から導入した空気を上方へも送り出す多翼式ファンである。
このような多翼式ファン（シロッコファン）は、ファンの回転軸方向から空気を取り込み、ファンの径方向へと取り込んだ空気を吐き出すので、室内空気を本体ケースＣの前面から後方への直線的な流れを作り出すと共に、吹出口４２に向けて効率よく風の向きを変えることができる。
【００８３】
次に、加熱ユニット６３は、脱臭エレメント６２の回転中心より下側に位置するように本体に取付けられている。
このように、ヒーターユニット６３ａなどを有するある程度重量がある加熱ユニット６３を低い位置に配置することで、空気清浄機Ａの重心を低くすることができる。これにより、床面に安定して設置することができる空気清浄機Ａを構成することができる。
【００８４】
この他に、開口６５ａの位置は、本体ケースＣの正面の上下方向の中央に位置し、本体ケースＣの正面視における投影面積Ａと、吸込口の正面視における面積Ｂとの関係が、
「Ｂ≧０．６Ａ」
となるように構成されている。
この関係は、本体ケースＣの正面視の面積に対して、開口６５ａと吸込口とが室内空気を最大限取り込める関係であり、より室内空気を多く取り込み脱臭エレメント６２へ流すことが可能な空気清浄機を構成することができる。
【００８５】
次に、以上のように構成された空気清浄機Ａは、次のように構成することにより、臭いの発生源に、任意に接近可能である移動することができる可搬式筐体となっている。
図１５〜図１７を参照すると、空気清浄機Ａは、外郭を筐体となる本体ケースＣと、この本体ケースＣに設けられる脱臭部６０などの各種機能部品により構成されている。
この本体ケースＣは、樹脂により形成されており、前パネル１０と前ケース２０と後ケース４０などの複数の部品により構成され、正面及び側面の平面形状が、縦長方形の外殻形状をなしている。
【００８６】
そして、本体ケースＣの底部には、４つの車輪９０が設けられている。４つの車輪は、前ケース２０の底部に２個、後ケース４０の底部に２個ずつ設けられ、本体ケースＣを前側から見て、本体ケースＣの中心に左右対称となるようにそれぞれ左右に１つずつ配置されている。
【００８７】
また、前ケース２０を構成するフレーム２１の上辺の上部の後側には、使用者が空気清浄機Ａを移動する際に把持するハンドル９１が設けられている。
このハンドル９１は、その握り部９１ａの中心軸が本体ケースＣの天面中央で、かつ左右方向を向くように設置されている。ハンドル９１の本体ケースＣに対する前後方向の位置は、加熱ユニット６３と送風ファン４４との間に位置している。また、握り部９１ａの床面からの高さＬは、７００ｍｍ以下の範囲に位置するように構成されている。
このように各部が配置された状態において、車輪９０は、少なくとも握り部９１ａの長手方向に回転自在となるように構成されている。
【００８８】
以上のように、ハンドル９１の握り部９１ａの長手方向に車輪が回転自在となるように本体ケースＣに設けられることで、大型な空気清浄機Ａであっても容易に押し引きすることが可能となる。
特に、ハンドル９１の本位ケースＣの前後位置が、加熱ユニット６３と送風ファン４４との間に位置していることから、重量密度が大きい部位の略中間位置にハンドル９１が位置する。これにより、ハンドル９１を握って空気清浄機Ａを押し引きするときに、重量のバランスが比較的取れた位置を支点に空気清浄機Ａを動かすことができる。
従って、使用者が運びやすい空気清浄機Ａとすることができる。
【００８９】
また、本実施の形態の空気清浄機Ａは、ハンドル９１の握り部９１ａの床面からの高さＬが７００ｍｍ以下となるように構成されている。
このように構成されているので、日本人の成人の指節点高（人が床面に立った状態で、床面から中指指節点までの垂直距離）の平均は、男性が約６９５ｍｍ、女性が約６３２ｍｍ、全体が約６６２ｍｍであることから、性別に関係なく、使用者が大きくかがむことなく、握りやすいハンドル９１の高さとなっている。
【００９０】
更に、本実施の形態の空気清浄機Ａの奥行きＳは、約３００ｍｍとなっている。
このように構成されているので、日本人の成人の肩幅の平均は、男性が約４２６ｍｍ、女性が約３９４ｍｍ、全体が約４０９ｍｍであることから、性別に関係なく、空気清浄機Ａを側方より押し引きする際に、人の肩幅内に納まる。
これにより、空気清浄機Ａは、狭い通路や場所においても、移動を容易に行うことができる。
【００９１】
更に、一般家庭の廊下幅が約８５０ｍｍ〜９００ｍｍであることから、空気清浄機Ａを横に向けて廊下においた場合、約５５０ｍｍ〜６００ｍｍのスペースを確保することができる。
従って、空気清浄機Ａを一般家庭の廊下に設置しても、人や物が十分に通るだけのスペースを確保することができる。
【００９２】
更に、介護施設の廊下幅が約１８００ｍｍ以上あることから、空気清浄機Ａを横に向けて廊下においた場合、約１５００ｍｍのスペースを確保することができる。
従って、空気清浄機Ａを介護施設の廊下に設置しても、人や物が十分に通るだけのスペースを確保することができる。
また、一般的に用いられる車椅子は幅が約７００ｍｍであることから、介護施設の廊下に空気清浄機Ａが設置されていても、車椅子同士のすれ違いが可能である。
【００９３】
以上のように各部が構成された空気清浄機Ａは、制御手段４７により、脱臭エレメント６２を通過する空気の流速が所定値以下となるように送風ファン４４を制御することで、脱臭エレメント６２が、通風路Ｒに導入された室内の空気中の臭気の成分であるアンモニア成分などを少なくとも約７０％以上で捕集するように制御される。
この構成は、吸込口１１から取り込まれたアンモニア成分などを含む室内空気が、吹出口４２から本体外部に吐き出されるときには、アンモニア成分などが約７０％以上除去された状態で、本体から室内空間に放出される構成となっている。
【００９４】
つまり、アンモニア成分を含んだ空気を、一度脱臭エレメント６２を通すだけで、取り込んだ室内空気から、約７０％のアンモニア成分を除去可能に構成されている。
尚、空気を一度脱臭エレメントに通すことで、脱臭エレメント６２が空気中に含まれる臭気成分を除去する率を臭気成分の一過性除去率（ワンパス除去率）と呼ぶ。
例えば、全く臭気成分を除去しない場合は一過性除去率０％（ワンパス除去率０％）、空気中に含まれる臭気を８０％除去する場合は一過性除去率８０％（ワンパス除去率８０％）、となる。
【００９５】
ここで、図１８を参照して、臭気強度について説明する。図１８は、この６段階の臭気強度に、アンモニアの臭気濃度を対応させたものである。
臭気強度とは、臭気判定士などの専門家により、臭気を嗅覚測定法（官能試験法）で測り、臭いの感じ方を６段階で示したものであり、悪臭防止法における２２物質の基準値を設定する際の評価基準として採用されている。この臭気強度は、高い段階から低い段階へ１ランク下がることで、人の嗅覚で臭気の減少が感じられる尺度となっている。
【００９６】
尚、臭気強度の各段階における人の臭気の感じ方（臭いの程度）は、次の通りである。  臭気強度０は、無臭（一定の濃度以下では、臭いを感じない）。臭気強度１は、やっと臭気を感知できる臭い（検知閾値とも言う）。臭気強度２は、何の臭いかがわかる弱い臭い（認知閾値とも言う）。臭気強度３は、楽に検知できる臭い（臭いに関するクレームが時々ある）。臭気強度４は、強烈な臭い（全ての人が不快感、環境対策が必要）。臭気強度５は、強烈な臭い（その場に人がいられない）。
【００９７】
この臭気強度に対応させて、従来からある空気清浄機と本実施の形態の空気清浄機の臭気の捕集能力について説明する。
まず、臭気の一過性除去率が５０％である従来から用いられている可搬性の空気清浄機を、臭気強度が「４」（アンモニアの臭気濃度が１０ｐｐｍ）の空気中で使用した場合、空気中から臭気を５０％取り除かれたアンモニアの臭気濃度が５ｐｐｍの空気が本体から放出される。
つまり、臭気の一過性除去率が５０％の空気清浄機の場合、臭気強度が「３」には至らない、未だに強い臭いが残った空気が本体から室内空間に放出されることになる。
【００９８】
従って、臭気の一過性除去率が５０％の空気清浄機の場合、臭気成分は減っているが、臭気強度が１段階下がらない状態で室内に空気を戻すので、放出される空気から使用者が臭気の減少を感じられない。
また、脱臭されていても、人が臭気の減少を感じられない空気を本体から室内空間に吹き出すので、室内の脱臭に時間がかかる上、臭気を室内全体に広げてしまう。
【００９９】
次に、本実施の形態である臭気の一過性除去率が８０％となるように制御可能な空気清浄機を、臭気強度が「４」（アンモニアの臭気濃度が１０ｐｐｍ）の空気中で使用した場合、本体内部に取り込んだ空気中から、アンモニア臭気を８０％取り除かれたアンモニアの臭気濃度が２ｐｐｍの空気が本体から放出される。
つまり、臭気の一過性除去率が８０％の空気清浄機の場合、臭気強度が「３」となった臭気強度が１段階下がった空気が本体から放出されることになる。
【０１００】
従って、臭気の一過性除去率が８０％の空気清浄機の場合、臭気成分が大幅に低減されて、臭気強度が１段階下がった空気を本体から室内に放出するので、放出された空気から使用者が臭気の減少を実感することができる。
また、使用者が臭気の減少を実感することができる空気を、本体から室内空間に吹き出すので、臭気を多く含んだ室内空気をより早く薄めることができ、室内の脱臭をより早く行えると共に、臭気を室内全体に広げてしまうことがない。
【０１０１】
尚、臭気の一過性除去率が８０％に制御された状態の空気清浄機で説明したが、臭気の一過性除去率が７０％でも、臭気強度が「３」の状態の空気中で使用した場合、吹出口４２から放出される空気は、臭気強度が１段階下がった「２」の状態まで臭気が減少するので、使用者は開始直後から直ぐに脱臭効果を実感することができる。
【０１０２】
ここで、空気清浄機Ａは、可搬可能な大きさに構成されていることから、脱臭エレメント６２の大きさが、可搬可能な本体内部に納めるために制限される。つまり、所定の場所に設置して使用する据え置き型の空気清浄機のように、脱臭能力を向上させる為に、脱臭エレメント６２の大きさ（厚さ）を単純に大型化することができない。
【０１０３】
従って、空気清浄機Ａは、上記のように大きさが制限された脱臭エレメント６２であっても、臭気の一過性除去率を７０％以上に維持する為に、脱臭エレメント６２を通過する臭気を含んだ空気の流速を、制御手段４７により秒速約０．１５メートル〜秒速約１．８メートルとなるように、送風ファン４４を制御している。
【０１０４】
このように、風速が秒速約１．８メートル以下に制御することで、臭気の一過性除去率７０％を維持した状態で、可搬性が確保された空気清浄機を構成することが可能である。また、風速が上がることにより生じる送風ファン等からの騒音や振動を抑えることができる。
尚、風速を約０．１５メートル以上とすることで、本体から毎分１立方メートルの清浄空気を放出することができる弱運転を可能としている。
【０１０５】
次に、空気清浄機Ａは臭気の一過性除去率が７０％以上の状態で、送風ファン４４が運転している状態において、制御手段４７は、通風路Ｒを通過する室内の空気の量（風量）が、毎分約１０立方メートル以下になるように、送風ファン４４を制御している。
この様に制御された状態の空気清浄機Ａについて、使用例１及び使用例２を示した図１９を参照して説明する。尚、参考例として、従来の空気清浄機（従来例）についても説明
する。
【０１０６】
まず、使用状況は、室内面積は３畳（４．８６平方メートル）、室内空間は１３．１２２立方メートル、初期のアンモニア臭気濃度１ｐｐｍである。この使用状況は、病院や介護施設の複数の人が使用する病室において、１つのベッドエリアをカーテンで仕切った空間を想定している。
つまり、壁などの構造物によって区画された所定容積の空間内に、外部から空気清浄機を搬入して用いる場合である。
【０１０７】
経過時間とは、使用開始から経過した時間である。室内濃度とは、室内の空気中に含まれるアンモニア臭気の濃度である。吹出し濃度とは、空気清浄機Ａの吹出口４２から放出される空気に含まれるアンモニア臭気の濃度である。また、経過時間の単位は［分］、室内濃度及び吹出濃度の単位は［ｐｐｍ］で示す。
このような状況において、次の各空気清浄機を用いた場合の経過時間に対する各臭気濃度の変化について説明する。
【０１０８】
（使用例１：臭気の一過性除去率が約８０％、１分当りの風量が８立方メートル）
臭気の一過性除去率が８０％であれば、吹出口４２から放出される空気の臭気強度が、室内空間の臭気強度より１段階以上低いので、使用者は使用開始から臭気の減少を嗅覚で感じ取ることができる。
そして、１分当りの風量が８立方メートルであると、使用開始から３分後には、吹出口４２から放出される空気の臭気濃度が、初期の室内臭気濃度１ｐｐｍの１／２０である０．０５ｐｐｍに低下する。これは、臭気強度が２段階低下した値である。
【０１０９】
更に、使用開始から６分で、室内のアンモニア臭気濃度が１／２０である０．０５ｐｐｍに低下する。この値は、ほぼ無臭と感じるほどの臭気濃度である。
この様に、使用例１の場合、空気清浄機Ａの使用開始から５〜６分でほぼ無臭と感じる程度に急速に脱臭できるので、病院や介護施設のベッドの周囲で行われる臭気を伴う作業を病室内に拡散することなく行うことができる。
【０１１０】
例えば、このような作業の一例として、オムツ交換を例に説明すると、１人のオムツ交換は通常５〜６分の時間を要し、上記の場合の脱臭に要する時間内となっている。
つまり、オムツ交換開始の為に、ベッドを囲むカーテンを閉めてから、交換作業が終了してカーテンを開けるまで、オムツ交換作業と同時に空気清浄機Ａを用いることにより、オムツ交換作業が終了した時点で、ほぼオムツ交換に伴う臭気の脱臭を終了させることが可能である。
【０１１１】
従って、空気清浄機Ａを用いることにより、複数の利用者が使用する病室内においてオムツ交換を行う場合、交換作業を行っているベッド周辺から、他の利用者へ臭気が流れることを防止することができる。
また、多くの利用者のオムツ交換を行う必要がある施設において、オムツ交換に伴う臭気をほとんど拡散させること無く、効率よく作業を行うことが可能である。
【０１１２】
（使用例２：臭気の一過性除去率が約９０％、１分当りの風量が５立方メートル）
本使用例は、使用例１と比べて風量は少ないが、臭気の一過性除去率が高い例である。
臭気の一過性除去率が９０％であれば、吹出口４２から放出される空気の臭気強度が、室内空間の臭気強度より１段階以上低いので、使用者は使用開始から臭気の減少を嗅覚で感じ取ることができる。
そして、１分当りの風量が５立方メートルであると、使用開始から２分後には、吹出口４２から放出される空気の臭気濃度が、初期の室内臭気濃度１ｐｐｍの１／２０である０．０５ｐｐｍに低下する。これは、臭気強度が２段階低下した値である。
【０１１３】
更に、使用開始から９分で、室内のアンモニア臭気濃度が１／２０である０．０５ｐｐｍに低下する。この値は、ほぼ無臭と感じるほどの臭気濃度である。この様に、空気清浄機Ａの使用開始から９分でほぼ無臭と難じる程度に急速に脱臭できる。
本使用例では、室内のアンモニア臭気濃度を１／２０まで低下させるのに、使用例１より時間がかかるが、使用開始から２分程度で、吹出口４２から放出される空気の臭気濃度を初期の室内臭気濃度の１／２０である０．０５ｐｐｍに低下させることができる。
また、風量を抑えて運転するので、送風ファン４４などの運転音を低く抑えることができると共に、運転に伴う消費電力を低く抑えることができる。
【０１１４】
以上、空気清浄機Ａの使用例について説明したが、可搬式である空気清浄機の場合、風量は最大でも１分当りの風量が１０立方メートル以下に制御するのが望ましい。
なぜなら、可搬可能な程度の大きさに構成された空気清浄機の場合、吹出口４２の開口面積に制限がある。従って、空気清浄機Ａから放出される風量が増やすということは、吹出口４２から放出される空気の風速が速くなり、埃などを巻き上げる原因となる。
また、風量を増やすことは、脱臭エレメント６２を通過する風速を早めることになり、脱臭エレメント６２の臭気の一過性除去率が低下させてしまう可能性がある。
【０１１５】
（従来例：臭気の一過性除去率が約５０％、１分当りの風量が３立方メートル）
ここで比較の為、従来から用いられている空気清浄機の参考使用例を説明する。
従来から、可搬性の空気清浄機として、約５０％の臭気の一過性除去率のものがある。
このような空気清浄機の場合、吹出口から放出される空気の臭気濃度が０．５ｐｐｍ程度までしか低下していないので、臭気強度を１段階下げることができず、使用者が使用開始時点では臭気の減少を嗅覚で感じ取ることが難しい。
【０１１６】
また、臭気の一過性除去率が約５０％で、１分当りの風量が３立方メートルであることから、使用者が使用開始から室内の臭気が減少したと感じるまで、つまり、初期の室内臭気濃度から７０％以上の臭気濃度の減少させるためには、約１０〜１１分の運転時間が必要である。
このように、室内の臭気を減少させるのに、長い時間かかることから、病院や介護施設などでオムツ交換を行う際に用いるものとして、十分のものとは言えない。
【０１１７】
以上の使用例１及び使用例２で説明した空気清浄機Ａは、次のように構成しても良い。  壁などの構造物によって区画された所定容積の空間内に、外部から搬入される空気清浄機Ａであって、吸込口１１と吹出口４２を有した通風路Ｒを内部に形成し、空間内の低層界に発生したアンモニア成分を含む臭いの発生源に向けて、任意に接近させることが可能な移動式筐体と、筐体の内部に設けられ吸込口１１から通風路Ｒに導入した室内の空気を吹出口４２から吹き出す送風手段と、筐体内にあって、通風路Ｒに導入された空気が通過する脱臭エレメント６２と、送風ファン４４の送風能力を制御する制御手段を備え、脱臭エレメント６２は、通風路Ｒに導入された空気中のアンモニア成分を吸着することで、空気中からアンモニア成分を捕集する触媒を含有し、脱臭エレメント６２を通過する空気の毎分あたりの流量が、前記空間の容積の１／５倍以上となるように制御手段４７が送風ファン４４の風量を制御している状態において、脱臭エレメント６２が、通風路Ｒに導入された室内の空気中のアンモニア成分を少なくとも、当該空気の１回の通過において所定率以上捕集する空気清浄機。
【０１１８】
このように空気清浄機Ａは、室内の低層界に位置する臭気の発生源の近傍に移動可能に構成されているので、空気清浄機Ａの吸込口１１を臭いの発生源に対して、任意に近づけることができ、アンモニアの臭気が空間内に拡散する前に、吸込口１１から空気清浄機Ａの内部に取り込むことができる。
これは、室内に設置されたベッド等でオムツ交換を行いに漏れ出す臭気を、迅速に空気清浄機Ａの内部に取り込むことが可能な構成である。
これに加え、脱臭エレメント６２を通過する空気の毎分あたりの流量が壁などの構造物によって区画された空間の容積の１／５倍以上となるように制御手段が送風手段の風量を制御しているので、室内空間に漂う臭気を短時間のうちに捕集することができる（図１９参照）。
【０１１９】
また、室内の低層界とは、病室の空間やカーテンで囲まれた空間など、壁などの構造物によって区画された所定容積の空間の床面上１ｍ以下の範囲をいう。
そして、空気清浄機において、吸込口１１は筐体の横方向に向いてに開口し、その吸込口１１の中心を通る水平線の位置が、前記空間の床面上で、３０ｃｍから７０ｃｍの範囲にあるよい。
このように吸込口１１を形成することで、病室などで臭気の発生源となるベッド上からの臭気を効率よく空気清浄機Ａの内部に取り込むことができる。
【０１２０】
また、通風路Ｒは、筐体の正面にある吸込口１１から下流側で上方向に屈曲することで吹出口４２は筐体の天面から上方向を向いており、脱臭エレメント６２は、通風路Ｒにおいて吸込口１１から屈曲部位の間に位置する。
このように、臭気を除去した空気を筐体の上方へ吹き出すので、臭気の発生源の近傍に空気清浄機Ａを位置して使用している際に、臭気の発生源より上方に臭気を除去した空気を吹き出すことができる。
これにより、臭気の発生源近傍の気流を乱しにくいので、臭気の拡散を防止できると共に、効率よく臭気を含んだ室内空気を空気清浄機Ａに取り込むことが可能である。
【０１２１】
（変形例）
次に、図１１〜図１２を参照して、本発明の変形例について説明する。尚、実施の形態１と同じ構成については同一の符号を付し、説明を省略する。
脱臭部６０を構成する中仕切板６５の開口６５ａの内部中央に位置する中央支持体６５ｂの下方の領域であって、中央支持体６５ｂを中心に、左右に等しく広がる所定の開角により形成される扇形の領域は、中仕切板６５の裏側より略扇形状の蓋体６５ｄにより覆われている。
【０１２２】
この蓋体６５ｄはステンレスにより形成されており、中仕切板６５の後面側（裏面側）から、梁部６５ｃにネジなどにより固定される。また、蓋体６５ｄは、後述する加熱ユニット６３のヒーターユニット６３ａと対向した状態において、ヒーターユニット６３ａを覆うことが可能な大きさとなっている。
そして、この蓋体６５ｄが上記のように取付けられた状態において、蓋体６５ｄの前面と梁部６５ｃにより囲まれた部位には、断熱材６６が設けられる。更にこの断熱材６６の前側には、カバー６７が設けられる。カバー６７は、樹脂により形成されており、中仕切板６５の前面側（表面側）から、梁部６５ｃにネジなどにより固定される。
【０１２３】
以上のように各部を構成すれば、蓋体６５ｄの前面を断熱材６６で覆ってあるので、脱臭エレメント６２を加熱ユニット６３で加熱する際に、加熱ユニット６３と対向することで加熱空間を形成している蓋体６５ｄの表面から、この加熱空間の熱を逃げ難くすることができる。
従って、加熱空間の温度を効率よく上げることができ、効率よく脱臭エレメント６２を加熱することが可能となると共に、高温になる蓋体６５ｄを使用者が直接触れることができないので、火傷を防止することができる。
【０１２４】
次に、図１３〜図１４を参照して、本発明の別の変形例について説明する。尚、実施の形態１及び上記の変形例と同じ構成については同一の符号を付し、説明を省略する。
また、図１３〜図１４において、吹出口４２の開口部分には、通常は格子が取付けられているが、ルーバー４６の動きを説明するため、格子を取外した状態で示してある。
まず、吹出口４２の近傍にルーバー４６は、複数の板状の風向板４６ａと、この複数の風向板４６ａをそれぞれ繋いで風向板４６ａを所定の角度に動かすリンク機構４６ｃと、このリンク機構４６ｃを動かす駆動部（図示せず）から構成されている。
【０１２５】
そして、ルーバー４６は、複数の板状の風向板４６ａが、吹出口４２の開口に所定の間隔を空けて、それぞれ平行となるように並んで配置されており、それぞれの風向板４６ａは、この風向板４６ａの両端に形成された軸で、吹出口４２に軸支されている。
尚、リンク機構４６ｃを動かす駆動部は、後述する制御手段４７に接続されており、空気清浄機の状態に応じて、所定のプログラムで駆動されるものであり、これにより、ルーバー４６の向きが変更される。
【０１２６】
また、風向板４６ａの大きさは、前後方向の幅が吹出口４２の前後方向の幅と略一致すると共に、左右方向の最大幅は、ルーバー４６を閉じた状態、つまり、風向板４６ａが倒れた状態において、隣り合う風向板４６ａにより、吹出口４２をさえぎる程度の大きさに構成されている。
【０１２７】
そして、ルーバー４６は、脱臭エレメント６２を加熱処理する間、各々の風向板４６ａが吹出口４２をさえぎるように、倒れた状態となるように、制御手段４７がリンク機構４６ｃを動かす駆動部を動作させる。
このように、脱臭エレメント６２の加熱処理の間、ルーバー４６により吹出口４２を塞ぐことにより、加熱処理時に生じる脱臭エレメント６２からに臭いなどを空気清浄機Ａの外部に放出し難くすることができる。
【０１２８】
尚、本実施の形態において、吹出口４２に設けられたルーバー４６により吹出口４２を塞ぐ構成を説明したが、ルーバー４６とは別に、吹出口４２を開閉するシャッターなどのようなものを設けてもよい。
また、吹出口４２のみならず、吸込口１１にこの吸込口１１の開口を開閉するシャッターなどを設けて、脱臭エレメント６２の加熱処理時に吸込口１１を閉鎖することにより、更に、加熱処理時に生じる脱臭エレメント６２からに臭いなどを空気清浄機Ａの外部に放出し難くすることが可能となる。
【符号の説明】
【０１２９】
Ａ  空気清浄機、Ｃ  本体ケース、Ｒ  通風路、１０  前パネル、１１  空気吸込口、１２  ＨＥＰＡフィルター、１３  プレフィルター、２０  前ケース、２１  フレーム、２３  仕切板、２６  操作部、４０  後ケース、４２  空気吹出口、４４  送風ファン、４５  仕切板、４６  ルーバー、４６ａ  風向板４６ｃ  リンク機構、４７  制御手段、６０  脱臭部、６１  枠体、６２  脱臭エレメント、６３  加熱ユニット、６４  駆動手段、６５  中仕切板、６５ｄ  蓋体、６６  断熱材、６７  カバー、９０  車輪、９１  ハンドル、９１ａ  握り部。
【図１】
2015147092.tif 000003
【図２】
2015147092.tif 000004
【図３】
2015147092.tif 000005
【図４】
2015147092.tif 000006
【図５】
2015147092.tif 000007
【図６】
2015147092.tif 000008
【図７】
2015147092.tif 000009
【図８】
2015147092.tif 000010
【図９】
2015147092.tif 000011
【図１０】
2015147092.tif 000012
【図１１】
2015147092.tif 000013
【図１２】
2015147092.tif 000014
【図１３】
2015147092.tif 000015
【図１４】
2015147092.tif 000016
【図１５】
2015147092.tif 000017
【図１６】
2015147092.tif 000018
【図１７】
2015147092.tif 000019
【図１８】
2015147092.tif 000020
【図１９】
2015147092.tif 000021